(57)【要約】【課題】運転訓練の際に、操作盤上の操作スイッチの模擬状態を表示することができる運転訓練用模擬状態表示具を提供する。【解決手段】プラントの機器の操作を行なう操作盤１００上の操作スイッチ１２０の近傍に脱着可能に取り付けられて、操作スイッチ１２０の模擬状態を表示する運転訓練用模擬状態表示具１であって、板状部材からなり、板状部材の一方面に操作スイッチの第１の状態を示す第１の表示部が設けられると共に板状部材の他方面に操作スイッチの第２の状態を示す第２の表示部が設けられている。【選択図】図３
2008180925.tif 000002
【特許請求の範囲】
【請求項１】
プラントの機器の操作を行う操作盤上の操作スイッチの近傍に脱着可能に取り付けられて、該操作スイッチの模擬状態を表示する運転訓練用模擬状態表示具であって、
板状部材からなり、
該板状部材の一方面に前記操作スイッチの第１の状態を示す第１の表示部が設けられると共に該板状部材の他方面に前記操作スイッチの第２の状態を示す第２の表示部が設けられる表示部材を有することを特徴とする運転訓練用模擬状態表示具。
【請求項２】
前記操作スイッチを覆うように前記操作盤に脱着可能に取り付けられるカバー部材をさらに有し、
前記表示部材が前記操作盤に取り付けられた状態の前記カバー部材に脱着可能に取り付けられることを特徴とする請求項１に記載の運転訓練用模擬状態表示具。
【請求項３】
前記表示部材は、可撓性を有する磁性材料で構成されることを特徴とする請求項１又は２に記載の運転訓練用模擬状態表示具。
【請求項４】
請求項１〜３の何れか一項に記載の運転訓練用模擬状態表示具を用いて行う運転訓練シミュレーション方法であって、
前記操作盤上の複数の操作スイッチの近傍に、前記操作スイッチが所定の模擬状態を表示するように前記運転訓練用模擬状態表示具をそれぞれ取り付けた後、
操作スイッチを仮想的に操作して、運転訓練用模擬状態表示具が表示するその操作スイッチの模擬状態を変化させると共にその模擬状態の変化に応じて他の運転訓練用模擬状態表示具の表示を変化させて、前記プラントの機器の運転を模擬する運転訓練シミュレーション方法。
【発明の詳細な説明】
【技術分野】
【０００１】
本発明は、火力発電所や水力発電所などのプラントの運転訓練で用いられる模擬状態表示具及びそれを用いた運転訓練シミュレーション方法に関する。
【背景技術】
【０００２】
火力発電所や水力発電所などのプラントでは、運転員に対して、通常の運転操作を安全かつ確実に行うことができる能力だけでなく、事故などの異常発生時の対応処置を迅速に行うことのできる能力を備えるように定期的な運転訓練が実施されている。
【０００３】
このような運転訓練としては、運転訓練シミュレ−タを用いた訓練やマニュアルなどを用いた机上訓練が行われている。運転訓練シミュレータは実際のプラントを運転操作する操作盤を模擬して製作されたものであり（特許文献１参照）、運転訓練シミュレータを用いることによって訓練者は現実に近い状況を知覚しながら運転訓練をすることができる。しかしながら、運転訓練シミュレータは高価であり、すべてのプラントに設置することができないという問題があった。
【０００４】
一方、机上訓練は、マニュアルなどに基づいて、実際の操作盤を確認しながら運転操作を想定して机上で行う訓練であり、運転訓練シミュレータなどのように特別な機器を用いることなく、すべてのプラントにおいて行うことができる。
【０００５】
【特許文献１】特開平８−６３０８８号公報
【発明の開示】
【発明が解決しようとする課題】
【０００６】
しかしながら、机上訓練では、実際の事故状況などを想定することが困難であるという問題があった。また、操作盤を確認しながら机上訓練を行ったとしても、その操作盤には事故時などの状態が実際に表示されているわけではないので、マニュアルなどに基づいて、操作盤に表示されている状態に応じて変化する一連の操作を再現することが困難であるという問題があった。
【０００７】
本発明は、上述した事情に鑑み、運転訓練の際に、操作盤上の操作スイッチの模擬状態を表示することができる運転訓練用模擬状態表示具及びそれを用いた運転訓練シミュレーション方法を提供することを目的とする。
【課題を解決するための手段】
【０００８】
上記課題を解決する本発明の第１の態様は、プラントの機器の操作を行う操作盤上の操作スイッチの近傍に脱着可能に取り付けられて、該操作スイッチの模擬状態を表示する運転訓練用模擬状態表示具であって、板状部材からなり、該板状部材の一方面に前記操作スイッチの第１の状態を示す第１の表示部が設けられると共に該板状部材の他方面に前記操作スイッチの第２の状態を示す第２の表示部が設けられる表示部材を有することを特徴とする運転訓練用模擬状態表示具にある。
【０００９】
かかる第１の態様では、操作盤上の操作スイッチの模擬状態を表示することができることができるので、操作盤上の操作スイッチの模擬状態を確認しつつ、より現実に近い状況下での運転訓練を行うことができる。
【００１０】
本発明の第２の態様は、前記操作スイッチを覆うように前記操作盤に脱着可能に取り付けられるカバー部材をさらに有し、前記表示部材が前記操作盤に取り付けられた状態の前記カバー部材に脱着可能に取り付けられることを特徴とする第１の態様に記載の運転訓練用模擬状態表示具にある。
【００１１】
かかる第２の態様では、第１の態様の効果に加えて、運転訓練用模擬状態表示具を操作盤から取り外すことなく操作スイッチを操作することを防止することができるので、結果として運転訓練中に運転員が誤って操作スイッチを操作してしまうのを防止することができる。
【００１２】
本発明の第３の態様は、前記表示部材は、可撓性を有する磁性材料で構成されることを特徴とする第１又は２の態様に記載の運転訓練用模擬状態表示具にある。
【００１３】
かかる第３の態様では、操作盤に何ら手を加えることなく、運転訓練用模擬状態表示具を操作盤に脱着可能に取り付けることができると共に、表面に凹凸部を有する操作盤に容易に取り付けることができる。
【００１４】
本発明の第４の態様は、第１〜３の何れか１つの態様に記載の運転訓練用模擬状態表示具を用いて行う運転訓練シミュレーション方法であって、前記操作盤上の複数の操作スイッチの近傍に、前記操作スイッチが所定の模擬状態を表示するように前記運転訓練用模擬状態表示具をそれぞれ取り付けた後、操作スイッチを仮想的に操作して、運転訓練用模擬状態表示具が表示するその操作スイッチの模擬状態を変化させると共にその模擬状態の変化に応じて他の運転訓練用模擬状態表示具の表示を変化させて、前記プラントの機器の運転を模擬する運転訓練シミュレーション方法にある。
【００１５】
かかる第４の態様では、操作盤上の操作スイッチの模擬状態を表示することができることができるので、操作盤上の操作スイッチの模擬状態を確認しつつ、より現実に近い状況下での運転訓練を行うことができる。
【発明の効果】
【００１６】
本発明に係る運転訓練用模擬状態表示具及びそれを用いた運転訓練シミュレーション方法によれば、操作盤上の操作スイッチの模擬状態を表示することができるので、操作盤上の操作スイッチの模擬状態を確認しつつ、より現実に近い状況下での運転訓練を行うことができる。
【発明を実施するための最良の形態】
【００１７】
以下、本発明を実施するための最良の形態について説明する。なお、本実施形態の説明は例示であり、本発明は以下の説明に限定されない。
【００１８】
（実施形態１）
図１（ａ）は本発明の実施形態１に係る運転訓練用模擬状態表示具の概略正面図であり、図１（ｂ）は図１（ａ）に示す運転訓練用模擬状態表示具の概略側面図であり、図１（ｃ）は図１（ａ）に示す運転訓練用模擬状態表示具の概略裏面図である。
【００１９】
図１（ａ）〜図１（ｃ）に示すように、本実施形態に係る運転訓練用模擬状態表示具１は円板状をなした表示部材のみで構成されており、運転訓練用模擬状態表示具１の第１の表示部である一方面２の表面には「入」という文字が印字され、第２の表示部である他方面３の表面には「切」という文字が印字されている。この文字「入」及び文字「切」は、後述するように、運転訓練用模擬状態表示具１が近傍に取り付けられる操作スイッチの異なる２つの状態を模擬的に示すものである。すなわち、運転訓練用模擬状態表示具１は、操作スイッチの模擬状態を表示するものである。具体的には、例えば操作スイッチがプラント内に設置された機器への電力供給を操作するものである場合には、「入」は機器へ電力が供給されていることを示し、「切」は機器への電力が供給されていないことを模擬的に示す。
【００２０】
そして、運転訓練用模擬状態表示具１は、磁性体粉末をポリマーに分散させた軟磁性複合材料などの可撓性を有する磁性材料で構成されており、後述するように、操作スイッチが設けられた操作盤に脱着可能に取り付けることができるようになっている。
【００２１】
次に、運転訓練用模擬状態表示具１が取り付けられる操作盤について説明する。操作盤は、火力発電所などのプラントの機器を実際に操作する操作盤である。すなわち、上述した運転訓練用模擬状態表示具１は、実際にプラントの機器の操作に用いられている操作盤に取り付けられることになる。
【００２２】
図２に、操作盤の一部の一例を示す。図２に示すように、操作盤１００上には、多数の操作スイッチ１１０〜１３０が配置されている。これらの操作スイッチ１１０〜１３０を操作することによって実際のプラントの機器を操作することができる。例えば、操作スイッチ１１０、１２０は、プラント内に設置された機器への電力供給を操作するものであり、上部を軸として下部を操作盤１００と平行な面内で回動させることによってプラント内に設置された機器への電力供給を操作することができるようになっている。また、操作スイッチ１３０はプラントの保安装置を操作するものであり、中央部を軸として操作盤１００と平行な面内で回動させることによって、タービンやボイラなどの機器を同時に停止状態にさせたり（トリップ）、その状態からタービンやボイラなどを運転させることができる状態にする（リセット）ことができるようになっている。
【００２３】
そして、これらの操作スイッチ１１０、１２０、１３０の上方の操作盤１００には、各操作スイッチ１１０〜１３０の現在の状態を表示する２つの表示ランプ１１１、１１２、１２１、１２２、１３１、１３２がそれぞれ配置されている。これらの２つの表示ランプ１１１〜１３２は排他的に点灯するようになっており、各操作スイッチ１１０〜１３０の状態を容易に把握することができるようになっている。すなわち、例えば表示ランプ１１１が点灯している場合には表示ランプ１１２は点灯しないようになっており、表示ランプ１１１、１１２の点灯状態を確認することによって操作スイッチ１１０の状態を容易に把握することができるようになっている。
【００２４】
なお、操作スイッチ１１０、１２０のさらに上方の操作盤１００上にはメータ１１３、１２３が配置されており、操作スイッチに１１０、１２０により操作される機器の詳細な状態（例えば電流値など）を表示することができるようになっている。
【００２５】
次に、運転訓練用模擬状態表示具１を用いた運転訓練シミュレーション方法について説明する。まず、運転訓練は、上述したように実際に使用されている状態の操作盤１００を用いて行われる。そのために、運転訓練中であったとしても、各操作スイッチ１１０〜１３０の状態を示す２つの表示ランプ１１１〜１３２の何れか一方は点灯しており、表示ランプ１１１〜１３２によって実際の操作スイッチ１１０〜１３０の状態が表示されていることになる。したがって、このままでは、マニュアルなどに基づいて、操作盤１００に表示されている状態に応じて変化する一連の操作を再現することが困難である。
【００２６】
そこで、例えば図３に示すように、操作スイッチ１２０の近傍の操作盤に上述した運転訓練用模擬状態表示具１をそれぞれ取り付ける。この際に、運転訓練において想定される所定の模擬状態を示す文字が印字されている面を上面として運転訓練用模擬状態表示具１を操作盤に取り付ける。すなわち、運転訓練において想定される操作スイッチの模擬状態を示す文字が運転員から見えるように運転訓練用模擬状態表示具１を操作盤に取り付ける。
【００２７】
その後、事故などの要因により変化する操作スイッチの模擬状態を変化させる。具体的には、その操作スイッチの近傍の操作盤に取り付けられた運転訓練用模擬状態表示具１を取り外し、運転訓練用模擬状態表示具１を反転させて、再度その操作スイッチの近傍の操作盤に取り付ける。そして、同様にして、その操作スイッチの模擬状態に応じて他の運転用模擬状態表示具１の表示を変化させる。
【００２８】
次に、運転員は、それらの運転用模擬状態表示具１によって表示されるプラントの機器の模擬状態を確認しつつ、その模擬状態に応じて操作スイッチの模擬状態を変化させる。そして、その操作スイッチの模擬状態に応じて他の運転用模擬状態表示具１の表示をさらに変化させる。以上、説明したような操作を繰り返すことによって、運転訓練シミュレーションを行う。
【００２９】
以上説明したように構成された運転訓練用模擬状態表示具１を操作スイッチ１２０の近傍に取り付けることによって、操作スイッチ１２０の実際の状態とは別に、運転訓練において想定される操作スイッチ１２０の状態を模擬的に表示することができる。したがって、操作盤１００上のすべての操作スイッチの近傍に運転訓練用模擬状態表示具１をそれぞれ取り付けることによって、マニュアルなどに基づいて、操作盤上の操作スイッチの状態を模擬的に表示することができ、結果として操作盤上の操作スイッチの模擬状態を確認しつつ、より現実に近い状況下での運転訓練シミュレーションを行うことができる。
【００３０】
また、運転訓練用模擬状態表示具１は、上述したように、一方面２と他方面３とに操作スイッチの異なる状態が印字されており、運転訓練用模擬状態表示具１を反転させることによって操作スイッチの模擬状態を変更することができるので、操作スイッチの状態変更を伴う運転訓練シミュレーションを行うことができる。
【００３１】
さらに、運転訓練用模擬状態表示具１は、可撓性を有する磁性材料で構成されているので、通常ステンレス鋼などで構成された操作盤１００に何ら手を加えることなく、運転訓練用模擬状態表示具１を操作盤１００に脱着可能に取り付けることができると共に、表面に凹凸部を有する操作盤１００に容易に取り付けることができる。
【００３２】
（実施形態２）
実施形態１では、上述したように運転訓練用模擬状態表示具１を表示部材のみで構成したが、操作スイッチを覆うように操作盤に脱着可能に取り付けられるカバー部材をさらに加えて、例えば図４に示すような運動訓練用模擬状態表示具を構成してもよい。図４（ａ）は本発明の実施形態２に係る運転訓練用模擬状態表示具の概略正面図であり、図４（ｂ）は、図４（ａ）に示すＸ−Ｘ’断面における概略断面図である。
【００３３】
図４（ａ）及び図４（ｂ）に示すように、本実施形態の運転訓練用模擬状態表示具１Ａは、中央部に凹部を有するカバー部材２０と、その凹部底面の反対側に脱着可能に取り付けられた円板状の表示部材１０とからなっている。そして、カバー部材２０は、中央部に凹部を有する透明部材からなるカバー本体２１と、カバー本体２１の凹部底面の反対側に設けられた磁性材料層２２と、カバー本体２１の開口側端部の全面に亘って設けられた磁性体部２３とからなっている。なお、表示部材１０は、実施形態１に係る運転訓練用模擬状態表示具１と同じものであるので、説明を省略する。
【００３４】
ここで、磁性材料層２２は磁性材料で構成されているので、後述する円板状の表示部材１０をカバー部材２０に脱着可能に取り付けることができる。また、磁性体部２３も同様に磁性材料で構成されているので、カバー部材２０を操作盤１００に脱着可能に取り付けることができる。すなわち、運転訓練用模擬状態表示具１Ａは、操作盤１００に脱着可能に取り付けられるように構成される一方、運転訓練用模擬状態表示具１Ａを構成する表示部材１０がカバー部材２０に脱着可能に取り付けられるように構成されている。
【００３５】
次に、運転訓練用模擬状態表示具１Ａを用いた運転訓練シミュレーション方法について説明する。図５に、図１で示した操作スイッチ１３０を覆うように運転訓練用模擬状態表示具１Ａを操作盤１００に取り付けた際の概略断面図を示す。
【００３６】
本実施形態に係る運転訓練用模擬状態表示具１Ａも実施形態１に係る運転訓練用模擬状態表示具１と同様にして運転訓練シミュレーションに用いることができるが、以下に示すような利点をさらに有する。図５に示すように、運転訓練用模擬状態表示具１Ａは、操作スイッチ１３０を覆うように操作盤１００に取り付けられており、運転訓練用模擬状態表示具１Ａを操作盤１００から取り外すことなく操作スイッチ１３０を操作することはできないので、運転訓練中に運転員が誤って操作スイッチ１３０を操作してしまうのを防止することができる。また、運転訓練用模擬状態表示具１Ａを構成する表示部材１０は、上述したように構成されているので、カバー部材２０上で実施形態１の運転訓練用模擬状態表示具１と同様に使用することによって実施形態１の運転訓練用模擬状態表示具１と同様の効果を奏する。さらに、運転訓練用模擬状態表示具１Ａを構成するカバー本体２１は透明部材で構成されているので、運転訓練用模擬状態表示具１Ａの側方から操作スイッチ１３０の状態を確認することができるという効果を奏する。
【００３７】
（他の実施態様）
実施形態１では、上述したような構成の運転訓練用模擬状態表示具１について説明したが、運転訓練用模擬状態表示具の形状及びその表面に印字される文字は特に限定されない。例えば図６に示すような形状及びその表面に印字される文字を用いて運転訓練用模擬状態表示具を構成してもよい。
【００３８】
また、実施形態１では、運転訓練用模擬状態表示具１は図３に示したような位置に取り付けられたが、操作スイッチ１１０の近傍であれば運転訓練用模擬状態表示具１が取り付けられる位置は特に限定されない。例えば、図７に示すような位置に取り付けてもよい。このような位置に取り付けても実施形態１と同様の効果が得られる。
【００３９】
さらに、実施形態２では、上述したような構成の運転訓練用模擬状態表示具１Ａについて説明したが、運転訓練用模擬状態表示具はこれに限定されない。例えば、カバー部材２０を磁性材料で一体的に形成してもよい。
【産業上の利用可能性】
【００４０】
本発明は、プラントの運転訓練だけでなく、様々な機器の運転訓練に用いることができる。
【図面の簡単な説明】
【００４１】
【図１】実施形態１に係る運転訓練用模擬状態表示具を示す概略図である。
【図２】操作盤の一部の一例を示す概略図である。
【図３】実施形態１に係る運転訓練用模擬状態表示具を操作盤に取り付けた際の概略図である。
【図４】実施形態２に係る運転訓練用模擬状態表示具を示す概略図である。
【図５】実施形態２に係る運転訓練用模擬状態表示具を操作盤に取り付けた際の概略断面図である。
【図６】他の実施形態に係る運転訓練用模擬状態表示具を示す概略図である。
【図７】他の実施形態に係る運転訓練用模擬状態表示具を操作盤に取り付けた際の概略図である。
【符号の説明】
【００４２】
１、１Ａ  運転訓練用模擬状態表示具
２  一方面
３  他方面
１０  表示部材
２０  カバー部材
２１  カバー本体
２２  磁性材料層
２３  磁性体部
１００  操作盤
１１０、１２０、１３０  操作スイッチ
１１１、１１２、１２１、１２２、１３１、１３２  表示ランプ
１１３、１２３  メータ
【図１】
2008180925.tif 000003
【図２】
2008180925.tif 000004
【図３】
2008180925.tif 000005
【図４】
2008180925.tif 000006
【図５】
2008180925.tif 000007
【図６】
2008180925.tif 000008
【図７】
2008180925.tif 000009